(57)【特許請求の範囲】
【請求項１】
板金製の外箱内に設けられた箱状の発泡樹脂製内部断熱材の内側に一次空気側と二次空気側を仕切るように室内熱交換器を配置した空気調和装置において、
前記室内熱交換器の一方の管板に、当該管板の一端を延長して折り曲げ形成され、前記発泡樹脂製内部断熱材の側面部の抜き勾配を有する内壁と管板との間の楔状の隙間を閉塞するリブ（２２ａ）と、このリブ（２２ａ）の先端をさらに延長してアングル形に折り曲げ形成され前記発泡樹脂製内部断熱材の前記抜き勾配を有する内壁に密着する当接面部（２２ｂ）とを有する閉塞部材を取り付けると共に、
前記室内熱交換器の他方の管板に、当該管板に一端をねじで固定され、前記発泡樹脂製内部断熱材の前記抜き勾配を有する内壁と当該管板との間の楔状隙間に対応する形状である平板部（２５ａ）と、この平板部（２５ａ）の先端をさらに延長して折り曲げ形成され前記発泡樹脂製内部断熱材の前記抜き勾配を有する内壁に密着する当接面部（２５ｂ）とを有する第二閉塞部材を取り付けた、
ことを特徴とする空気調和装置。
【請求項２】
前記閉塞部材と前記内部断熱材との間に可撓性シール材を介在させたことを特徴とする請求項１記載の空気調和装置。
【発明の詳細な説明】
【技術分野】
【０００１】
本発明は、空気調和装置に関し、特に、室内熱交換器の管板と外箱との隙間を閉塞する閉塞手段の改良に関する。
【背景技術】
【０００２】
従来の天井埋込形空気調和装置は、下端が開いている箱形であり天井に吊られる板金製の外箱と、吸込口と吹出口とを有し前記外箱の下端開口に設けられる化粧パネルと、前記外箱内に収容されていて室内空気を前記吸込口から吸い込み一次空気側へ給送する送風ファンと、前記外箱内に収容されていてドレンパンに載置される室内熱交換器と備えた構成である（特許文献１参照）。
【０００３】
この種のものでは、板金製の外箱内を送風ファンを収容する機械室と室内熱交換器を収容する熱交換器室とに仕切り、熱交換器室内に箱形の発泡スチロール製の内部断熱材を配置し、この内部断熱材の内側に一次空気側と二次空気側を仕切るように室内熱交換器を配置したものが提案されている。この場合、室内熱交換器の管板を延長して折り曲げ形成した切り起こし片または管板とは別途の板金製の部材からなる閉塞部材を、内部断熱材の内壁に当接させることにより、一次空気側と二次空気側を仕切るのが一般的である。
【特許文献１】特開平６−１３７５８９号公報
【発明の開示】
【発明が解決しようとする課題】
【０００４】
しかしながら、箱形の発泡スチロール材では、成形段階において、その内壁に金型を抜き取るための所定寸法の抜き勾配が形成されるのに対し、従来の構成では、管板側の切り起こし片または板金製の部材からなる閉塞部材が垂直平面状であるため、例えば、組立工場において、外箱を逆さにして切り起こし片または板金製の部材からなる閉塞部材を備えた室内熱交換器を落とし入れていくときに、外箱の奥側で、切り起こし片と発泡スチロール製の断熱材の面、並びに板金製の閉塞部材と発泡スチロール製の断熱材の面がそれぞれ干渉し、室内熱交換器の組み付けに手間と煩わしさが生じるという問題があった。
【０００５】
本発明の目的は、上述した点に鑑みてなされたものであり、組み付け性が良好であり、室内熱交換器によって仕切られる一次側空気側と二次側空気側との仕切り性が良好である閉塞部材を備えた空気調和装置を提供することを目的とする。
【課題を解決するための手段】
【０００６】
上記課題を解決するために、本発明の空気調和装置は、板金製の外箱内に設けられた発泡樹脂製内部断熱材の内側に一次空気側と二次空気側を仕切るように室内熱交換器を配置した空気調和装置において、前記室内熱交換器の一方の管板に、当該管板の一端を延長して折り曲げ形成され、前記発泡樹脂製内部断熱材の側面部の抜き勾配を有する内壁と管板との間の楔状の隙間を閉塞するリブ（２２ａ）と、このリブ（２２ａ）の先端をさらに延長してアングル形に折り曲げ形成され前記発泡樹脂製内部断熱材の前記抜き勾配を有する内壁に密着する当接面部（２２ｂ）とを有する閉塞部材を取り付けると共に、前記室内熱交換器の他方の管板に、当該管板に一端をねじで固定され、前記発泡樹脂製内部断熱材の前記抜き勾配を有する内壁と当該管板との間の楔状隙間に対応する形状である平板部（２５ａ）と、この平板部（２５ａ）の先端をさらに延長して折り曲げ形成され前記発泡樹脂製内部断熱材の前記抜き勾配を有する内壁に密着する当接面部（２５ｂ）とを有する第二閉塞部材を取り付けた、ことを特徴とする。
上記特徴の構成によれば、閉塞部材を備えた室内熱交換器を外箱内に真っ直ぐに収納して行くと、発泡樹脂製内部断熱材の抜き勾配を有する内面と、この勾配面に対応する閉塞部材の当接面部とは、室内熱交換器を収納の最初において平行かつ斜めの大きな隙間があり、この隙間は、室内熱交換器を深く収納して行くに連れて隙間を平行に保ったまま狭まっていき、収納が完了する僅か手前で閉塞部材の当接面が内部断熱材の勾配面に密着して隙間を解消し、さらに僅かにストロークして当接面部が内部断熱材の勾配面に圧着して収納が完了する。従って、室内熱交換器の組付けが容易になしえて一次空気側と二次空気側とを仕切るシール性も良好である。
【０００７】
上記特徴の構成において、前記閉塞部材は前記管板の一部を延長して折り曲げ形成されていることが好ましい。
これによれば、閉塞部材が管板から延長して形成されているので、管板をプレス成型して閉塞部材を設けることができ、部品点数が少なくて済み、構成が簡素であり、低コストに抑えられる。
【０００８】
上記特徴の構成において、前記閉塞部材は前記室内熱交換器の両端管板にそれぞれ形成されていることが好ましい。
これによれば、室内熱交換器の両側で、発泡樹脂製内部断熱材の抜き勾配を有する内面と、この勾配面に対応する閉塞部材の面部とがバランス良く密着する
【０００９】
上記特徴の構成において、前記閉塞部材と前記内部断熱材との間に可撓性シール材を介在させることが好ましい。
これによれば、発泡樹脂製内部断熱材の抜き勾配を有する内面と、閉塞部材の面部との、組み立てるための相対的な取り合い関係寸法に誤差が生じても、この誤差を可撓性シール材が撓むことで吸収して、室内熱交換器の落とし込みが良好に行われるとともに、一次空気側と二次空気側とを仕切るシール性も良好となり、可撓性シール材は肉が薄くても良い。
【発明の効果】
【００１０】
本発明によれば、室内熱交換器の管板に、内部断熱材の内壁との当接面部を内部断熱材の抜き勾配に合わせた傾斜面とした閉塞部材を備えたので、組立工場において、組み付け性が良好であり、室内熱交換器によって仕切られる一次側空気側と二次側空気側とを仕切るシール性が良好である。
【発明を実施するための最良の形態】
【００１１】
以下に、本発明の一実施形態を図面を参照して説明する。
図１は、本発明の空気調和装置の縦断側面図である。図２は、本発明にかかる天井空間に吊り下げ固定された空気調和装置を、化粧パネルとドレンパンを取り外して下から視上げた図である。図３は、化粧パネルは取り外しドレンパンは取り外していない状態を下から視上げた図である。
【００１２】
この空気調和装置１０は、板金製の外箱１１内に、箱形の発泡樹脂製の内部断熱材２１と、この内部断熱材２１の下端に当接して発泡樹脂製ドレンパン１８と、このドレンパン１８に載置され上面を前記内部断熱材２１に密着する室内熱交換器１９とを配置し、室内熱交換器１９の側方の冷媒配管取出側と反対側のドレンパン１８及び内部断熱材２１との間の隙間について管板２０に設けた閉塞部材２２で一次空気側１５ａと二次空気側１５ｂとを仕切り、またこの室内熱交換器１９の側方の冷媒配管取出側のドレンパン１８及び内部断熱材２１との間の隙間について、管板２４に設けた第二閉塞部材２５で一次空気側１５ａと二次空気側１５ｂとを仕切る構成である。
特に、この実施形態の空気調和装置１０は、閉塞部材２２と第二閉塞部材２５の当接面部２２ｂ，２５ｂを前記内部断熱材２１の抜き勾配に合わせた傾斜面としたことを特徴としている。
【００１３】
以下、詳細に説明する。図１及び図２に示すように、この空気調和装置１０は、天井空間に吊り下げ固定される天井埋込形空気調和装置である。この空気調和装置１０は、下端が開いている箱形の板金製であり天井スラブ５０に吊られる外箱１１を備え、この外箱１１内を板金製送風機仕切板４２で送風ファン１７を収容する機械室１６と室内熱交換器１９を収容する熱交換器室１５とに仕切り、熱交換器室１５に発泡樹脂製（発泡スチロール製）の内部断熱材２１を配置し、この内部断熱材２１の下端に当接する発泡樹脂製（発泡スチロール製）で防水コートしたドレンパン１８を設け、このドレンパン１８に載置され上面を内部断熱材２１に密着するように前記室内熱交換器１９を配置し、吸込口１２と吹出口１３とを有し前記外箱１１の下端開口に被せて固定される化粧パネル１４と備えている。図２中、符号２７は電動膨張弁である。
【００１４】
この空気調和装置１０は、送風ファン１７を駆動することにより、化粧パネル１４の吸込口１２から室内空気を吸い込み、この室内空気を熱交換器室１５の一次空気側１５ａへ給送し室内熱交換器１９のフィン間の隙間を通流させて熱交換させ、熱交換した空気を吹出口１３から吹き出す、いわゆる一方向吹出型の空気調和装置である。
【００１５】
外箱１１は、吹出口１３側の前面壁と、吸込口１２側の後面壁と、左右の側面壁と、上面壁とからなり、下端が開いている箱形であり、左右の側面壁に吊金具３０が設けられていて、この吊金具３０に天井スラブ５０から垂下した吊ボルト３１の下端を通してナット３２を締め付けることで、天井内空間に収容された状態に吊られる（図２、図４参照）。前記箱形の発泡樹脂製内部断熱材２１は、板金製の外箱１１の熱交換器室１５の内面に密着して設けられている。
【００１６】
図１に示すように、化粧パネル１４は、外箱１１の下端開口に被せてねじで固定されている。この化粧パネル１４を取り外すと、図３に示すように、外箱１１の機械室１６内が露出するとともにドレンパン１８が露出する状態になる。化粧パネル１４は、格子状の複数の開口を有するグリル５１を吸込口１２へ取り外し可能に備え、グリル５１の上にフィルタ材３３を交換可能に備えている。また、化粧パネル１４の吹出口１３には、この吹出口１３の幅方向の垂直断面内を揺動可能であるように合成樹脂製風向変更板３４を備え、この風向変更板３４をマイクロモータ３５により傾き調整できて風向変更できるように構成されている。マイクロモータ３５の駆動及び回転方向はリモートコントローラからの送信信号を受信し、電装箱２８へ電波を送って制御できるとともに、室内壁面に設けられる制御装置（図示しない）のボタンを操作することによっても制御されるように構成されるものである。
【００１７】
図１に示すように、外箱１１内を室内熱交換器１９と送風ファン１７との間を仕切っている板金製送風機仕切板４２には開口を有しこの開口に送風ファン１７の送風口１７ａが差込み接続されている。送風ファン１７は、シロッコファンを用いることが好ましくモータ３６により回転される。図２に示すように、モータ３６は、軸が両側に伸びていて軸受５２が被嵌していてこの軸受５２が外箱１１の上面部及び板金製送風機仕切板４２より設けられたモータブラケット３７に支持されている。
モータ３６の駆動は、リモートコントローラからの送信信号を受信し、電装箱２８へ電波を送って制御できるとともに、室内壁面に設けられる制御装置（図示しない）のボタンを操作することによっても制御されるように構成されるものである。
【００１８】
冷房運転時には、室内熱交換器１９結露し、この結露は、ドレン溜まり部に防水コートした発泡樹脂製のドレンパン１８に受けられる。ドレンの排水手段は、板金製送風機仕切板４２に設けられたブラケット３８に液面センサ３９とドレンポンプ４０が取り付けられ、液面センサ３９とドレンポンプ４０がドレンパン１８のドレン溜まりの一番低い位置に位置する構成である。ドレンポンプ４０は、ドレンが溜まると作動して、ドレン水を汲み上げて排水口４１より排出するようになっている。液面センサ３９は、ドレン水がドレンパン１８の許容レベル一杯に溜まったときを検知して信号を出力し、電装箱２８へ信号を送って空気調和装置１０の運転を止め、警告を発する。
なお、室内熱交換器１９は、蛇行して配置される冷媒管が積層状の放熱フィンの孔を挿通し両端部に冷媒管を保持する管板２０、２４が設けられている。従って、この管板２０、２４が室内熱交換器１９の両端部を規定している。管板２４の外側面には、冷媒配管取出部２９ａ、２９ｂが突出する。
【００１９】
室内熱交換器１９は、上面を内部断熱材２１の上面壁とほぼ密着し、下面を発泡樹脂製ドレンパン１８の上に載置されている。しかし、室内熱交換器１９は、管板２０、２４の外側に冷媒配管のＵ字部や冷媒配管取出部が張り出しているので、冷媒配管取出側と反対側の管板２０とこれに対応する内部断熱材２１の側面の内壁２１ａとの隙間が、冷媒配管のＵ字部を収められる小さなスペースとなるように、また、冷媒配管取出側の管板２０とこれに対応する内部断熱材２１の側面の内壁２１ｂとの隙間が、冷媒配管取出部２９ａ、２９ｂやその他の配管を収められる大きなスペースとなるように、室内熱交換器１９が内部断熱材２１で囲まれた空間内に配置されている。
そうして、内部断熱材２１は、箱形の発泡スチロール材で成形するものであるため、両側の側面部の内壁２１ａ，２１ｂには、金型を抜き取るための比較的大きな所定寸法の抜き勾配が付与されている。従って、室内熱交換器１９の側方の隙間に関して一次空気側１５ａと二次空気側１５ｂを仕切るために、室内熱交換器１９の管板２０に閉塞部材２２を設け、また管板２４に第二閉塞部材２５を設け、この閉塞部材２２，２５の当接面部２２ｂ，２５ｂを前記内部断熱材２１の抜き勾配に合わせた傾斜面としている。
【００２０】
図４乃至図７は、室内熱交換器１９の冷媒配管取り出し側と反対側の閉塞部材２２による閉塞構造を説明するための図である。図４は、室内熱交換器１９を一次空気側から見た全体正面図である。図５は、ドレンパン１８に載置した室内熱交換器１９を発泡樹脂製内部断熱材２１内に収容途中の状態を示す部分正面図である。図６は、ドレンパン１８に載置した室内熱交換器１９を発泡樹脂製内部断熱材２１内に収容した状態を示す管板２０側の部分平面図である。図７は管板２０の斜視図である。
図４乃至図７を用いて管板２０の側の閉塞構造を説明する。
室内熱交換器１９の管板２０と発泡樹脂製内部断熱材２１の側面部の内壁２１ａとの隙間を管板２０の一側を延長して設けられる閉塞部材２２で閉塞している。
閉塞部材２２は、管板２０と発泡樹脂製内部断熱材２１の側面部の内壁２１ａとの隙間に合わせて短尺である。この実施形態の閉塞部材２２は、管板２０の一端を延長して折り曲げ形成されている切り起こし片であるので構造が簡素かつ頑丈である。
この実施形態の閉塞部材２２は、発泡樹脂製内部断熱材２１の側面部の抜き勾配を有する内壁２１ｂと管板２０との間の楔状の隙間を閉塞するリブ２２ａと、このリブ２２ａの先端をさらに延長してアングル形に折り曲げ形成されていて前記発泡樹脂製内部断熱材２１の前記抜き勾配を有する内面２１ａに密着するフランジ部（当接面部）２２ｂとを備えており、このフランジ部２２ｂと発泡樹脂製内部断熱材２１の抜き勾配を有する内面２１ａとを、内面２１ａ側に貼着した可撓性シール材２３を介在させて密着している。
【００２１】
図８乃至図１１は、室内熱交換器１９の冷媒配管取り出し側の第二閉塞部材２５による閉塞構造を説明するための図である。図８は、室内熱交換器１９を二次空気側から見た正面図である。図９は、ドレンパン１８に載置した室内熱交換器１９を発泡樹脂製内部断熱材２１内に収容途中の状態を示す部分正面図である。図１０は、ドレンパン１８に載置した室内熱交換器１９を発泡樹脂製内部断熱材２１内に収容した状態を示す管板２４側の部分平面図である。図１１は第二閉塞板２５の斜視図である。
図８乃至図１２を用いて管板２４の側の閉塞構造を説明する。
第二閉塞部材２５は、板金製であり、前記冷媒配管取り出し側の管板２４に一端をねじで固定されていて、前記発泡樹脂製内部断熱材２１の前記抜き勾配を有する内面２１ｂと前記反対側の管板２４との間の楔状隙間に対応する形状である平板部２５ａと、この平板部２５ａの先端をさらに延長して折り曲げ形成されていて前記発泡樹脂製内部断熱材２１の前記抜き勾配を有する内面２１ｂに密着するフランジ部２５ｂとを備えてなり、このフランジ部２５ｂと発泡樹脂製内部断熱材２１の抜き勾配を有する内面２１ｂとを、内面２１ｂ側に貼着した可撓性シール材２６を介在させて密着している。
【００２２】
従って、組立工場において、外箱を逆さにして置いて、閉塞部材２２と第二閉塞部材２５を備えた室内熱交換器１９を逆さにして前記外箱１１内に落とし込んでいくと、発泡樹脂製内部断熱材２１の抜き勾配を有する内面２１ａ、２１ｂと、この勾配面に対応する閉塞部材２２、２５のフランジ部（当接面部）２２ｂ、２５ｂとは、室内熱交換器１９を落とし込みの最初において平行かつ斜めの大きな隙間があり、この隙間は、室内熱交換器１９を深く落とし込んで行くに連れて隙間を平行に保ったまま狭まっていき、落とし込みが完了する僅か手前でフランジ部（当接面部）２２ｂ、２５ｂが可撓性シール材２３、２６に密着して隙間を解消し、さらに僅かにストロークしてフランジ部２２ｂ、２５ｂが可撓性シール材２３、２６の傾斜面に圧着して落とし込みが完了する。
従って、室内熱交換器１９の組付けが容易になしえて一次空気側と二次空気側とを仕切るシール性も良好である。
【００２３】
以上、図面を参照して本発明の空気調和装置の実施形態を詳述してきたが、本発明は、上記の実施形態に限定されるものではなく、要旨を逸脱しない範囲内で種々に設計変更することができる。
例えば、閉塞部材２２は、管板２０の一次空気側の端から延長されているが、２次空気側の端から延長されていても良い。閉塞部材２２は、管板２０とは別部材であっても良い。また、第二閉塞部材２５は、管板２４とは別部材であるが、管板２４の端を延長して形成しても良い。さらに、第二閉塞部材２５は、冷媒配管取り出し口を二次空気側に寄って取り出すときには、一次空気側によって設けることができる。閉塞部材２２と第二閉塞部材２５は、板金製に限定されない。プラスチックで構成しても良い。
また、上記実施形態では、一方向吹出型の空気調和装置に適用したが、本発明は二方向吹出型と四方向吹出型の空気調和装置にも適用される。
【図面の簡単な説明】
【００２４】
【図１】本発明の空気調和装置の縦断側面図である。
【図２】空気調和装置を化粧パネルを取り外して視た図である。
【図３】ドレンパンが付いた状態を下から視上げた図である。
【図４】室内熱交換器を一次空気側から見た全体正面図である。
【図５】部分正面図である。
【図６】部分平面図である。
【図７】管板の斜視図である。
【図８】室内熱交換器を二次空気側から見た正面図である。
【図９】部分正面図である。
【図１０】部分平面図である。
【図１１】第二閉塞板の斜視図である。
【符号の説明】
【００２５】
１０  空気調和装置
１１  外箱
１５ａ  一次空気側
１５ｂ  二次空気側
１９  室内熱交換器
２０  冷媒配管取り出し側とは反対側の管板
２１  発泡樹脂製内部断熱材
２１ａ  抜き勾配を有する内面
２１ｂ  抜き勾配を有する内面
２２  閉塞部材
２２ｂ  フランジ（当接面部）
２３  可撓性シール材
２４  冷媒配管取り出し側の管板
２５  第二閉塞部材
２５ｂ  フランジ（当接面部）
２６  可撓性シール材
【図１】
0004806243.tif 000002
【図２】
0004806243.tif 000003
【図３】
0004806243.tif 000004
【図４】
0004806243.tif 000005
【図５】
0004806243.tif 000006
【図６】
0004806243.tif 000007
【図７】
0004806243.tif 000008
【図８】
0004806243.tif 000009
【図９】
0004806243.tif 000010
【図１０】
0004806243.tif 000011
【図１１】
0004806243.tif 000012